(57)【要約】　　　（修正有）【課題】従来の矢印板は脚の開閉が両手で行われており、そのため設置時には同時に複数の矢印板を持ちながら移動および設置作業を行うことが出来ず、多くの作業時間を有しており、また撤去回収時にも迅速な作業が行えないため、高速道路上での作業は危険が増大していた。【解決手段】矢印板上の矢印を路面に対して水平になるように置いたとき、脚部５，６は矢印板の上下各２個所にあるに開閉軸を中心に回転する開閉動作を行い、収納状態にはその脚部先端３，４が矢印板面上下端方向に数センチメートル突出し、板面に対して外側に反っている形状とすることで、矢印板設置時には矢印板上部にある握孔１を片手で掴みながら設置路面へ押し下げるだけで、自動的に開脚でき、また回収時には握孔２を片手で掴み、持ち上げるだけで脚部は自重によって自然に板面方向へと閉じることになるので、矢印板を設置回収する作業を片手で行うことができ、作業の安全性を高めることになる。【選択図】図１
0003100409.tif 000002
【実用新案登録請求の範囲】
【請求項１】
　本考案は、図１、２に示すとおり矢印板上の矢印を路面に対して水平になるように置いたとき、矢印板の上下各２箇所にある開閉軸を各々の回転の中心とする脚部Ｅ、Ｆの脚部先端Ｇ、Ｈは板面上下端より数センチメートル突出し、図３に示すとおり脚部先端が板面に対して外側に反っている形状の矢印板用簡易開閉脚に関するものである。
【考案の詳細な説明】
【考案の詳細な説明】
【技術分野】
【０００１】　本考案は、高速道路あるいは一般道路上において、維持修繕作業や事故及び災害復旧工事などを行う為の道路交通規制を行う際、通行してくる車両に対して、交通規制を行っていない車線への車両の誘導を行う為に使用する矢印板において設置および撤去回収時に、設置路面に対して矢印板を自立させるための脚部について、容易に開閉と収納が出来るようになっている矢印板用簡易開閉脚に関するものである。
【背景技術】
【０００２】　従来、図６、７に示すとおり路面での矢印板自立のための脚部が設置路面に対して水平方向の開閉機構を有し、設置および撤去回収時には路面に矢印板を仮置きして両手で開脚もしくは閉脚してから一枚づつの取り扱い作業を行っていた。
【考案が解決しようとする課題】
【０００３】　従来、図６、７に示すとおり路面での矢印板自立のための脚部が設置路面に対して水平方向の開閉機構を有し、設置および撤去回収時には設置路面に矢印板を仮置きし両手で脚の開閉をした後に作業を行っており、そのため設置時には同時に複数の矢印板を持ちながら移動及び設置を行うことが出来ず、１枚づつでの作業となるため多くの作業時間を有していた。
【０００４】　また、撤去回収時にも両手で脚部を閉脚収納する必要があるため、複数の矢印板を同時に集めることが出来ず迅速に作業が行えないため、短時間で作業を終了する必要がある高速道路上での作業は危険が増大していた。
【０００５】　本考案では矢印板の上部握孔を片手で握って搬送し、片手で掴んだ状態で路面方向へ押し下げるだけで脚部を自動的に押し広げながら設置出来て、撤去回収時には同じく板面上部にある握孔を片手で掴み、持ち上げるだけで板面方向に脚部を閉じて収納出来る簡易開閉脚の構造にすることで、矢印板の設置および撤去回収時における不便を解消するためになされたものである。
【課題を解決するための手段】
【０００６】　本考案は、図１、２に示すとおり矢印板上の矢印を路面に対して水平になるよに置いたとき、矢印板は板面上下端方向に脚部先端Ｇ、Ｈがくる脚部Ｅ、Ｆを有し、その脚部先端Ｇ、Ｈは板面上下端より数センチメートル突出し、かつこの脚部先端が図３に示すとおり板面に対して外側に反っている形状になっている。
【０００７】　矢印板に対して外側に反っている脚部先端が設置時には矢印板に先行して路面に接するため、握孔を片手で掴みながら路面方向へと押し下げ力は、図５に示すとおり力のモーメントの変化が接地点である支点ｂにおいておこり、脚部開閉軸である支点ａを回転の中心として脚部は矢印板から離れる方向への動きとなって、その結果、脚部は矢印板から自動的に離れる方向へ押し広げられことになる。
【０００８】　同じく握孔を片手で掴み、そして持ち上げるだけで、脚部は脚部開閉軸である図５に示す支点ａを回転の中心として、脚部の自重でもって自然に板面方向へと閉じて収納されることになる。
【考案を実施するための最良の形態】
【０００９】　本考案は、図１、２に示すとおり矢印板上の矢印を路面に対して水平になるよに置いた時、矢印板は板面上下端方向に脚部先端Ｇ、Ｈがくる脚部Ｅ、Ｆを有し、その脚部先端Ｇ、Ｈは板面上下端より数センチメートル突出し、かつこの脚部先端部が板面に対して外側に反っている形状になっている。【００１０】　設置時には図１、２の矢印板上部にある握孔Ｐを片手で掴み、もしくは反対方向の矢印を希望する場合には図１、２の握孔Ｑが板面の上部にくるようにしてから、その孔を片手で掴みながら路面方向へ押し下げる。【００１１】　図５に示すとおり矢印板に対して外側方向に反っている脚部が矢印板より一瞬早く支点ｂにおいて接地するため、脚部は脚部開閉軸である支点ａを回転の中心として矢印板から離れる方向への動きとなり、その結果脚部が矢印板から自動的に離れる方向へ押し広げられる。【００１２】　同じく握孔Ｐもしくは握孔Ｑが板面の上部にある状態でその握孔を片手で掴み、そして持ち上げるだけで、脚部は自重により脚部開閉軸である図５に示す支点ａを回転の中心として自然に板面方向へと閉じて収納されることになる。【００１３】　矢印板上下部２箇所の握孔に対応する脚部は、矢印板の上下部それぞれにある開閉軸を中心にそれぞれ回転でき、固定しない状態では両者共に開閉動作を行うため、収納時各々の脚部はマグネットもしくはフック等でそれぞれの脚部が固定される仕組みとし、設置時には開脚したい方の脚部のみを開閉自由な回転が出来るように固定をはずす構造を装備するものとする。
【考案の効果】
【００１４】　以上説明したように、設置したい方向の矢印になるように図１、２の矢印板上部の握孔Ｐを片手で掴み、もしくは反対方向の矢印を希望する場合には図１、２の握孔Ｑが板面の上部にくるようにしてから、その孔を片手で掴みながら路面方向へ押し下げるだけで、図５に示すとおり矢印板に対して外側方向に反っている脚部が矢印板より一瞬早く接地するため、脚部はその接地点を支点とし、脚部開閉軸を回転の中心にして矢印板から離れる方向への動きとなり、その結果自動的に脚部が押し広げられことになる。
【００１５】同じく握孔Ｐもしくは握孔Ｑが板面の上部にある状態でその孔を片手で掴み、そして持ち上げるだけで、脚部は自重により脚部開閉軸を回転の中心として自然に板面方向へと閉じることになる。
【００１６】　以上の通り片手での設置および撤去回収作業が可能になり、作業時間の短縮と同時に、作業の効率性と安全性を高めることが出来る。
【図面の簡単な説明】
【図１】本考案の簡易開閉脚を備えた矢印板の正面図。
【図２】本考案の簡易開閉脚を備えた矢印板の背面図。
【図３】本考案の簡易開閉脚を備えた矢印板の側面図。（図１より、Ｊ方向より矢印板を見た正面図）
【図４】本考案の簡易開閉脚を備えた矢印板の背面斜視図
【図５】本考案の簡易開閉脚に作用する力のモーメント説明図
【図６】従来型矢印板の正面図
【図７】従来型矢印板の背面図
【図８】従来型矢印板の側面図（図６より、Ｋ方向より矢印板をみた正面図）
【図９】従来型矢印板の背面斜視図
【符号の説明】
１　握孔Ｐ　　　　２　握孔Ｑ
３　脚部先端Ｇ　　４　脚部先端Ｈ
５　脚部Ｅ　　　　６　脚部Ｆ
７　力Ａ　　　　　８　力Ｂ
９　支点ａ　　　　１０　支点ｂ
１１　握孔Ｒ　　　１２　握孔Ｓ
【図１】
0003100409.tif 000003
【図２】
0003100409.tif 000004
【図３】
0003100409.tif 000005
【図４】
0003100409.tif 000006
【図５】
0003100409.tif 000007
【図６】
0003100409.tif 000008
【図７】
0003100409.tif 000009
【図８】
0003100409.tif 000010
【図９】
0003100409.tif 000011